(57)【特許請求の範囲】
【請求項１】
外部操作されるスイッチ手段と、
当該交換レンズが装着されたカメラから電源の供給を受け、前記スイッチ手段の操作や前記カメラからの信号に応じて各種の動作を制御するレンズ側制御手段と、
前記レンズ側制御手段と前記カメラとの信号の授受を行うレンズ側信号伝達手段と、
前記カメラから前記レンズ側制御手段への電源供給が断たれている場合には、前記スイッチ手段が操作されたことを、前記レンズ側制御手段を介さずに前記レンズ側信号伝達手段を介して前記カメラに伝達する状態に切り換える切換手段とを有し、
前記切換手段による切り換えの結果、前記スイッチ手段が操作されたことを、前記レンズ側制御手段を介さずに前記レンズ側信号伝達手段を介して前記カメラに伝達することによって、前記カメラから前記レンズ側制御手段への電源供給を開始させることを特徴とする交換レンズ。
【請求項２】
当該カメラに装着された、制御手段を有する交換レンズへの電源供給を制御するとともに、スイッチ手段の操作や前記交換レンズからの信号に応じて各種の動作を制御するカメラ側制御手段と、
前記交換レンズと前記カメラ側制御手段との信号の授受を行うカメラ側信号伝達手段とを有し、低消費電力モードの機能を有するカメラにおいて、
前記カメラ側制御手段は、低消費電力モードにおいて、前記レンズ側信号伝達手段および前記カメラ側信号伝達手段を介して、前記交換レンズ側のスイッチ手段に第１の電力を供給し、前記レンズ側信号伝達手段および前記カメラ側信号伝達手段を介して、前記交換レンズ側のスイッチ手段が操作されたことを伝達された場合には、前記低消費電力モードを解除し、前記交換レンズの前記レンズ側信号伝達手段よりもリーク電流の多い前記制御手段へ前記第１の電力より大きい第２の電力の供給を開始するように制御することを特徴とするカメラ。
【請求項３】
請求項１に記載の交換レンズと、
請求項２に記載のカメラとにより構成されることを特徴とするカメラシステム。
【発明の詳細な説明】
【技術分野】
【０００１】
本発明は、低消費電力モードの機能を有するカメラに装着可能な交換レンズ、該交換レンズが装着されるカメラおよびこれらにより構成されるカメラシステムに関するものである。
【背景技術】
【０００２】
一般的な交換レンズ式一眼レフカメラのシステムでは、カメラおよび交換レンズがそれぞれ個々にＭＰＵ（マイクロプロセッシングユニット）を内蔵し、お互いに通信することで全体として機能している。具体的には、それぞれのＭＰＵがモータや各種センサ、操作スイッチ等を制御し、それらの情報を相互に伝達することで、カメラのミラー制御や撮影動作、交換レンズの距離環駆動や絞り込み制御を行っている。
【０００３】
また、バッテリーの消耗を軽減させるために、低消費電力モード機能を有するものが広く知られている（特許文献１）。図３を用いて簡単に説明する。なお、図３の各構成部品の詳細は後述の図１で行うので、ここでは以下の説明に必要な構成部品以外のものは省略する。カメラ、交換レンズそれぞれの電源のうちの一つを、モータ等（レンズ駆動ユニット４、絞り駆動ユニット５など）を動作させるレンズ駆動系（レンズ駆動系電源ユニット９等）とする。もう一つを、レンズＭＰＵ１などを動作させるレンズ回路系（レンズ回路系電源ユニット８等）とする。つまり、カメラ２００、交換レンズ１００それぞれの電源を２系統に分離する。そして、電源スイッチがオフされていなくとも、所定時間、カメラ２００および交換レンズ１００の操作スイッチ（スイッチ部６等）が何も操作されていない場合には、カメラＭＰＵ７が、まず、レンズＭＰＵ１へ低消費電力モードに移行することを通信する。次いで、レンズ駆動系への電源を遮断し、かつカメラＭＰＵ７自身も接続されている発振子の発振を停止させてスリープモード（低消費電力モード）へ入る。通信を受けたレンズＭＰＵ１も同様の処理を行ってスリープモードへ入る。
【０００４】
スリープモード時であっても、各ＭＰＵ１，７と操作スイッチは電気的に接続されており、これらの端子はＨレベル（ハイレベルを意味する）でプルアップされている。また、各ＭＰＵ１，７が通信する通信線（レンズ側信号線１４、カメラ側信号線１５）もＨレベルでプルアップされている。
【０００５】
各ＭＰＵ１，７はスリープモードに入っていたとしても、撮影者がカメラ２００と交換レンズ１００のいずれかに具備されている操作スイッチが操作されると、先述した端子がＬレベル（ローレベルを意味する）になり、スリープモードが解除される。
【０００６】
スリープモードが解除されると、停止していた発振子が発振を再開し、かつレンズ駆動系の電源が再投入されることで通常動作へ復帰することができる。また、スリープモードが解除された一方のＭＰＵが、通信線をＬレベルにすることで、もう一方のＭＰＵのスリープモードも解除され、カメラ２００および交換レンズ１００より成るカメラシステム全体として、通常動作へ復帰することができる。  
【０００７】
図３の構成では、通常動作時の通信線とスリープモード解除のための信号線を共用することで、カメラ２００と交換レンズ１００との通信線と信号線の総本数を減らしている。
【特許文献１】特許第３８２０２５１号
【発明の開示】
【発明が解決しようとする課題】
【０００８】
カメラシステムとしての低消費電力モードは、上記のようにするのが一般的である。しかし、この場合、操作スイッチの操作で各ＭＰＵがスリープモードを解除するためには、低消費電力モードであっても、各ＭＰＵには電源を供給していなければならず、つまり回路系への電源は遮断することができないものであった。
【０００９】
従来においては、各ＭＰＵのスリープモードでの消費電力は実用上無視できるほど小さかったが、近年の半導体プロセスの微細化に伴い、ＭＰＵのスリープモード時のリーク電流が無視できなくなってきた。一般的に、半導体プロセスの微細化が進むと、半導体としての面積が小さくなるために、より安価に、より小さい電力で、より高速に通常動作をさせることができるが、スリープモード時のリーク電流は逆に増える。カメラシステムはバッテリーで動作することが基本であるため、リーク電流の大きいＭＰＵは、低消費電力モード時にバッテリーをより早く消耗させることになり、カメラシステムとしては大きな制約となっている。特に、交換レンズ側のＭＰＵはリーク電流が多い。
【００１０】
単純な解決方法として、交換レンズの駆動系のみならず、回路系の電源さえも遮断する方法が考えられる。しかなしながら、交換レンズ側にも、ＭＦ（マニュアルフォーカス）／ＡＦ（オートフォーカス）スイッチやＦＰ（フォーカスプリセット）スイッチ等の操作により、カメラシステムとして低消費電力モードを解除すべき要因がある。そのため、安易に実施することができなった。
【００１１】
（発明の目的）
本発明の目的は、カメラの低消費電力モードでの交換レンズにおけるリーク電流を減らし、かつ交換レンズのスイッチ手段が操作された場合には、カメラの低消費電力モードの解除を可能にする、交換レンズ、カメラおよびカメラシステムを提供しようとするものである。
【課題を解決するための手段】
【００１２】
上記目的を達成するために、本発明は、外部操作されるスイッチ手段と、当該交換レンズが装着されたカメラから電源の供給を受け、前記スイッチ手段の操作や前記カメラからの信号に応じて各種の動作を制御するレンズ側制御手段と、前記レンズ側制御手段と前記カメラとの信号の授受を行うレンズ側信号伝達手段と、前記カメラから前記レンズ側制御手段への電源供給が断たれている場合には、前記スイッチ手段が操作されたことを、前記レンズ側制御手段を介さずに前記レンズ側信号伝達手段を介して前記カメラに伝達する状態に切り換える切換手段とを有し、前記切換手段による切り換えの結果、前記スイッチ手段が操作されたことを、前記レンズ側制御手段を介さずに前記レンズ側信号伝達手段を介して前記カメラに伝達することによって、前記カメラから前記レンズ側制御手段への電源供給を開始させる交換レンズとするものである。
【００１３】
同じく上記目的を達成するために、本発明は、当該カメラに装着された、制御手段を有する交換レンズへの電源供給を制御するとともに、スイッチ手段の操作や前記交換レンズからの信号に応じて各種の動作を制御するカメラ側制御手段と、前記交換レンズと前記カメラ側制御手段との信号の授受を行うカメラ側信号伝達手段とを有し、低消費電力モードの機能を有するカメラにおいて、前記カメラ側制御手段が、低消費電力モードにおいて、前記レンズ側信号伝達手段および前記カメラ側信号伝達手段を介して、前記交換レンズ側のスイッチ手段に第１の電力を供給し、前記レンズ側信号伝達手段および前記カメラ側信号伝達手段を介して、前記交換レンズ側のスイッチ手段が操作されたことを伝達された場合には、前記低消費電力モードを解除し、前記交換レンズの前記レンズ側信号伝達手段よりもリーク電流の多い前記制御手段へ前記第１の電力より大きい第２の電力の供給を開始するように制御するカメラとするものである。
【００１４】
同じく上記目的を達成するために、本発明は、本発明の交換レンズと、本発明のカメラとにより構成されるカメラシステムとするものである。
【発明の効果】
【００１５】
本発明によれば、カメラの低消費電力モードでの交換レンズにおけるリーク電流を減らし、かつ交換レンズのスイッチ手段が操作された場合には、カメラの低消費電力モードの解除を可能にする交換レンズ、カメラ、またはカメラシステムを提供できるものである。
【発明を実施するための最良の形態】
【００１６】
本発明を実施するための最良の形態は、以下の一実施例に示す通りである。
【実施例】
【００１７】
図１は本発明の一実施例に係る交換レンズ１００とカメラ（本体）２００より成るカメラシステム（一眼レフカメラ）を示す主要部分の構成図である。
【００１８】
図１において、まず、交換レンズ１００側について説明する。１はレンズＭＰＵ（マイクロプロセッシングユニット）、２はフォーカスレンズ等の可動レンズ２１の位置を検出するためのレンズ位置検出ユニットである。３は後述で詳細に説明する接続切換ユニット、４は可動レンズ２１を駆動するためのレンズ駆動ユニット、５は絞り２２を駆動するための絞り駆動ユニットである。なお、図中、可動レンズ２１を通過する点線は、撮影光軸を表す。
【００１９】
レンズ位置検出ユニット２は、現在の可動レンズ２１に含まれるフォーカスレンズの相対的な繰り出し量を測定することができる。具体的には、レンズ位置検出ユニット２のエンコーダがレンズ可動部の光学的変化を電位変化として出力し、これをレンズＭＰＵ１がカウントすることで測定される。
【００２０】
６はＭＦ／ＡＦスイッチおよびＦＰスイッチを具備するスイッチ部である。ＭＦ／ＡＦスイッチは、カメラの自動焦点調節機能を無効にするか有効にするかを選択するためのスイッチであり、ＭＦの場合には、撮影者が交換レンズの距離環を自身で操作して、焦点調節を行う。ＦＰスイッチは、予めセットしていたレンズ位置へ強制的にレンズ移動させるためのスイッチである。通常動作中は、レンズＭＰＵ１にてこれらスイッチが操作されたことを検出し、カメラＭＰＵ７へ通信によって伝達する。  １３は電源状態判定ユニットであり、後述するレンズ回路系電源ユニット８からの電源供給が遮断されたか否かの電源状態判定を行う。１４はレンズ側通信線であり、カメラ側通信線１５に接続される。
【００２１】
交換レンズ１００は、前記レンズＭＰＵ１、レンズ位置検出ユニット２、接続切換ユニット３、レンズ駆動ユニット４、絞り駆動ユニット５、スイッチ部（ＭＦ／ＡＦスイッチ、ＦＰスイッチ）６を含む。さらに、電源状態判定ユニット１３、レンズ側通信線１４、可動レンズ２１、絞り２２等を含む。そして、交換レンズ１００は、図１中の点線で示すようにマウント２３を介して接続され、カメラ２００と着脱可能となっている。
【００２２】
次に、図１において、カメラ２００側について説明する。７はカメラＭＰＵである。１５はカメラ側通信線であり、レンズ側通信線１４および接続切換ユニット３を介してレンズＭＰＵ１と相互通信可能となっている。８はレンズ回路系電源ユニットであり、マウント２３を介して、レンズＭＰＵ１、レンズ位置検出ユニット２および接続切換ユニット３へ電源を供給する。９はレンズ駆動系電源ユニットであり、マウント２３を介して、レンズ駆動ユニット４、絞り駆動ユニット５へ電源を供給する。
【００２３】
１０はデフォーカス量検出ユニットであり、可動レンズ２１、絞り２２、メインミラー２４、サブミラー２５、不図示の焦点検出光学系を介して導かれた被写体像を光電変換し、電位変化として出力する。１１はカメラの諸設定（シャッタ速度、絞り値、撮影モード等）をするためのダイヤルユニットで、１２は撮像ユニットである。ＳＷ１はレリーズボタンの第１ストローク操作（半押し）によりオンするスイッチ、ＳＷ２はレリーズボタンの第２ストローク操作（全押し）によりオンするスイッチである。２４はハーフミラーとなっているメインミラー、２６は撮像素子、２７はピント板、２８はペンタプリズム、２９は撮影画像等を観察することができる光学ファインダである。
【００２４】
自動焦点調節に必要となる焦点はずれ量であるデフォーカス量は、デフォーカス量検出ユニット１０からの出力によって計算される。具体的には、撮影光軸を挟んだ、異なる２領域を通過する被写体光束から形成される２つの像の像ずれ量から計算される。これら２像の光束は、ハーフミラーとなっているメインミラー２４を通過し、その後ろにあるサブミラー２５によって反射され、不図示の焦点検出光学系によってデフォーカス量検出ユニット１０に導かれる。デフォーカス量検出ユニット１０はライン状の光電変換素子よりなっており、この素子上に形成された被写体像を電位変化として出力する。カメラＭＰＵ７はこれら２像の信号を読み出し、これに相関演算を施すことにより像ずれ量を計算し、デフォーカス量を求める。
【００２５】
本実施例では、スイッチＳＷ１がオンされると、カメラＭＰＵ７、デフォーカス量検出ユニット１０などより成る自動焦点調節装置が動作する。そして、前述したデフォーカス量を検出し、このデフォーカス量に基づいて、カメラＭＰＵ７がレンズＭＰＵ１へレンズ駆動命令を通信で伝達し、焦点調節を行う。また、続けてスイッチＳＷ２がオンされていると、カメラＭＰＵ７、撮像ユニット１２、レンズＭＰＵ１、絞り駆動ユニット５等が撮影のための一連の動作を行う。
【００２６】
スイッチＳＷ１がオフされると、自動焦点調節装置は動作を停止する。また、所定時間、交換レンズ１００側及びカメラ２００側の操作スイッチであるＭＦ／ＡＦスイッチ、ＦＰスイッチ、スイッチＳＷ１およびＳＷ２が操作されていないとする。すると、カメラＭＰＵ７は、レンズ駆動系電源ユニット９を停止させ、レンズ駆動系への電源を遮断する。続いて、レンズ回路系電源ユニット８を停止させ、レンズ回路系への電源も遮断する。かつ、カメラＭＰＵ７自身も接続されている発振子の発振を停止させて、スリープモード（低消費電力モード）へ入る。このとき、カメラＭＰＵ７は、自身のスリープモード解除要因を、スイッチＳＷ１，ＳＷ２およびカメラ側通信線１５に設定する。これらに接続するカメラＭＰＵ７の端子はＨレベルでプルアップされ、Ｌレベルになることでスリープモードが解除される。
【００２７】
また、交換レンズ１００側の電源状態判定ユニット１３は、レンズ回路系電源ユニット８から電源が供給されているか否かを判定し、その判定結果を接続切換ユニット３へ伝達する。接続切換ユニット３は、電源が供給されている場合には、ＭＦ／ＡＦスイッチ、ＦＰスイッチをレンズＭＰＵ１へ接続する。また、レンズＭＰＵ１とレンズ側通信線１４を接続し、カメラ側通信線１５経由してカメラＭＰＵ７との相互通信を可能にする。
【００２８】
接続切換ユニット３および電源状態判定ユニット１３は、レンズ回路系電源ユニット８から電源が供給されているときは、この電源によって動作する。
【００２９】
一方、図２に示すように、カメラＭＰＵ７がレンズ回路系電源ユニット８を停止させた場合には、カメラＭＰＵ７はカメラ側通信線１５をＨレベルでプルアップしている。よって、レンズ側通信線１４を経由して接続切換ユニット３はカメラＭＰＵ７に接続されている。接続切換ユニット３および電源状態判定ユニット１３はこのプルアップされた電源によって動作する。同時に接続切換ユニット３は、レンズＭＰＵ１とレンズ側通信線１４を切り離し、逆に、ＭＦ／ＡＦスイッチ、ＦＰスイッチとレンズ側通信線１４を接続する。こうすることで、カメラ側通信線１５を経由して交換レンズ１００へ流れる電力（請求項２の第１の電力に相当する）は、接続切換ユニット３および電源状態判定ユニット１３のみを動作させる。この時の電力は、スリープモードが解除されたときにカメラ２００側から供給される電力（請求項２の第２の電力に相当する）よりも当然小さいものである。
【００３０】
この状態で、撮影者がスイッチ部６内のＭＦ／ＡＦスイッチ、ＦＰスイッチのいずれかを操作すると、接続切換ユニット３およびレンズ側通信線１４を経由して、Ｈレベルでプルアップされたカメラ通信線１５をＬレベルにする。これにより、カメラＭＰＵ７のスリープモードが解除される。なお、信号線１４，１５はＨレベルからＬレベルに変化するだけなので、この時点で、カメラＭＰＵ７は、ＭＦ／ＡＦスイッチ、ＦＰスイッチのいずれかが操作されていたかは判定できない。
【００３１】
スリープモードが解除されると、カメラＭＰＵ７は、レンズ回路系電源ユニット８およびレンズ駆動系電源ユニット９を再び動作させ、通常動作を復帰させる。
【００３２】
すると、レンズ回路系電源ユニット８よりの電源供給が再開されるので、レンズＭＰＵ１も通常動作に復帰する。また、接続切換ユニット３は、ＭＦ／ＡＦスイッチ、ＦＰスイッチをレンズＭＰＵ１へ接続し、かつ、レンズＭＰＵ１とレンズ側通信線１４を接続する（図２の状態→図１の状態）。これにより、カメラ側通信線１５経由でカメラＭＰＵ７との相互通信が可能となる。
【００３３】
カメラＭＰＵ７は、電源供給が再開されたレンズＭＰＵ１と通信することで、ＭＦ／ＡＦスイッチ、ＦＰスイッチのいずれかが操作されたかを判定し、それに応じた動作をする。
【００３４】
上記の実施例においては、交換レンズ１００側に、接続切換ユニット３を具備している。この接続切換ユニット３は、電源状態判定ユニット１３によりカメラ２００から電源供給を受けていることが判定されている場合は、スイッチ部６とレンズＭＰＵ１を接続する。一方、電源供給が途絶えたと判定されている場合は、スイッチ部６とレンズ側通信線１４を接続するようにしている。
【００３５】
上記構成により、カメラ２００からレンズＭＰＵ１への電源供給が途絶えたとても、交換レンズ１００からカメラ２００側へ、スイッチ部６（ＭＦ／ＡＦスイッチもしくはＦＰスイッチ）が操作されたことを伝達することが可能となる。
また、交換レンズ１００側において、カメラ２００との通信を行うレンズＭＰＵ１からカメラ２００へ通信するためのレンズ側通信線１４を、上記スイッチ部６が操作されたことを伝達する信号線としても共用するようにしている。
【００３６】
上記構成により、カメラ２００と交換レンズ１００との通信線と信号線の総本数を減らすことができる。
【００３７】
また、交換レンズ１００側において、カメラ２００側のレンズ回路系電源ユニット８からの電源供給が途絶えたとする。この場合には、接続切換ユニット３および電源状態判定ユニット１３には、カメラ側通信線１５経由でレンズ側通信線１４を介して電源供給を受けることができる。
【００３８】
上記構成により、カメラ２００と交換レンズ１００との電源供給線の本数を減らすことができ、かつ、カメラ２００は低消費電力モードにおいてレンズＭＰＵ１に電源供給する必要がない。したがって、リーク電流の多いレンズＭＰＵ１への電源供給を行う必要がなくなるので、リーク電流を減らすことができる。
【００３９】
また、カメラ２００側には、交換レンズ１００との通信を行うカメラ側ＭＰＵ７を有する。このカメラ側ＭＰＵ７は、低消費電力モードの場合には、リーク電流の多いレンズＭＰＵ１への電源供給を遮断する。また、交換レンズ１００側のスイッチ部６が操作されたことをレンズ側通信線１４経由でカメラ側通信線１５で検出した場合には、低消費電力モードを解除するようにしている。
【００４０】
上記構成により、低消費電力モードでのレンズＭＰＵ１におけるリーク電流を減らし、かつ交換レンズ１００のスイッチ部６が操作された場合には、低消費電力モードから復帰することが可能となる。
【００４１】
また、カメラ２００側において、カメラ側ＭＰＵ７から交換レンズ１００へ通信するためのカメラ側通信線１５を、スイッチ部６が操作されたことを伝達する信号線としても共用するようにしている。
【００４２】
上記構成により、カメラ２００と交換レンズ１００との通信線と信号線の総本数を減らすことができる。
【００４３】
上記のような構成の交換レンズ１００とカメラ２００とを装着して成るカメラシステム（一眼レフカメラ）とすることにより、カメラの低消費電力モードでのレンズＭＰＵ１におけるリーク電流を減らすことができる。さらに、交換レンズ１００のスイッチ部６が操作された場合には、カメラの低消費電力モードの解除を可能にするカメラシステムとすることができる。したがって、リーク電流を気にすることなく、安価で、高性能のレンズＭＰＵを交換レンズへ搭載することが可能となる。
【００４４】
（本発明と実施例の対応）
交換レンズ１００が本発明の交換レンズに、カメラ２００が本発明のカメラに相当する。また、スイッチ部６（ＭＦ／ＡＦスイッチもしくはＦＰスイッチ）が、本発明の、外部操作されるスイッチ手段に相当する。また、レンズＭＰＵ１が、本発明の、交換レンズが装着されたカメラから電源の供給を受け、スイッチ手段の操作やカメラからの信号に応じて各種の動作を制御するレンズ側制御手段に相当する。また、レンズ側通信線１４が、本発明の、レンズ側制御手段とカメラとの信号の授受を行うレンズ側信号伝達手段に相当する。また、接続切換ユニット３が、本発明の、カメラからレンズ側制御手段への電源供給が断たれている場合には、スイッチ手段が操作されたことを、レンズ側制御手段を介さずにレンズ側信号伝達手段を介してカメラに伝達する状態に切り換える切換手段に相当する。そして、交換レンズ１００は、切換手段による切り換えの結果、スイッチ手段が操作されたことを、レンズ側制御手段を介さずにレンズ側信号伝達手段を介してカメラに伝達することによって、カメラからレンズ側制御手段への電源供給を開始させる。
【００４５】
また、カメラＭＰＵ７が、本発明の、カメラに装着された、制御手段（レンズＭＰＵ１）を有する交換レンズへの電源供給を制御するとともに、スイッチ手段の操作や交換レンズからの信号に応じて各種の動作を制御するカメラ側制御手段に相当する。また、カメラ側通信線１５が、本発明の、交換レンズとカメラ側制御手段との信号の授受を行うカメラ側信号伝達手段に相当する。上記カメラ側制御手段は、低消費電力モードにおいて、レンズ側信号伝達手段およびカメラ側信号伝達手段を介して、交換レンズ側のスイッチ手段に第１の電力を供給する。そして、レンズ側信号伝達手段およびカメラ側信号伝達手段を介して、交換レンズ側のスイッチ手段が操作されたことを伝達された場合には、低消費電力モードを解除する。また、交換レンズのレンズ側信号伝達手段よりもリーク電流の多い制御手段へ第１の電力より大きい第２の電力の供給を開始するように制御する。
【００４６】
（変形例）
本実施例では、交換レンズ１００側の操作スイッチは、ＭＦ／ＡＦスイッチ、ＦＰスイッチの２個としているが、これに縛られるものではない。具体的には、ＭＦ／ＡＦスイッチのみの交換レンズであってもよいし、逆に、カメラシステムとして低消費電力モードを解除すべき別のスイッチを更に加えても、本発明は同様に適用可能である。
【００４７】
また、本実施例では、接続切換ユニット３および電源状態判定ユニット１３は、レンズＭＰＵ１の外部に接続されるものとしているが、これをレンズＭＰＵ１に内蔵してもよい。具体的には、電源が遮断された状態では、接続切換ユニットおよび電源状態判定ユニットに相当するブロックのみ、カメラＭＰＵの通信線から電力が供給され、通常のスリープモードより更に低消費電力状態を実現するようにしても、本発明は同様に適用可能である。
【図面の簡単な説明】
【００４８】
【図１】本発明の一実施例に係るカメラシステムの通常動作時を示す構成図である。
【図２】本発明の一実施例に係るカメラシステムの低消費電力モード時を示す構成図である。
【図３】従来のカメラシステムの低消費電力モード時を示す構成図である。
【符号の説明】
【００４９】
１    レンズＭＰＵ
２    レンズ位置検出ユニット
３    接続切換ユニット
４    レンズ駆動ユニット
５    絞り駆動ユニット
６    スイッチ部（ＭＦ／ＡＦスイッチ、ＦＰスイッチ）
７    カメラＭＰＵ
８    レンズ回路系電源ユニット
９    レンズ駆動系電源ユニット
１０  デフォーカス量検出ユニット
１３  電源状態判定ユニット
１４  レンズ側通信線
１５  カメラ側通信線
２１  可動レンズ
２２  絞り
２３  マウント
２４  メインミラー
２５  サブミラー
２６  撮像素子
２７  ピント板
２８  ペンタプリズム
２９  光学ファインダ
【図１】
0005159344.tif 000002
【図２】
0005159344.tif 000003
【図３】
0005159344.tif 000004